(57)【要約】【課題】紙せんあるいは電子文章において表示された文章の一行の長さが長くなるにつれて、読みがながら次の行頭を探すと、しばしば次の行が何処だったかがわからなくなりがちになり、読者をイライラさせる。また新聞では、行が何段にも渡ってあり記事の内容が数段に渡って続くとき、ある段から何処に続くか判りにくい場合がある。【解決手段】平面構造物を成す紙せんあるいは電子文章において表示された文章のある行末と次行の行頭に同一の読者の視覚に訴えるマークを付与して、それを二行もしくは三行の行単位で繰り返し、文章の両側をマークで飾るものである。ワードプロセッサーの発達により、マークの種類と色は多種多様に自動設定でき、そのことにより、ある行末尾から次行の頭に視線を移した時に、無意識に間違い無く次行頭に辿り着ける方法である。【選択図】    図９
2004295856.tif 000002
【特許請求の範囲】
【請求項１】
文章の行末と次の行頭に「次行対応マーク」を各一字分確保して、ある行末の後と次行行頭の前の、二行にわたる同一の対応マークを二種類・あるいは三種類使って、二行もしくは三行の単位で繰り返したものである。二種類とは、ある種類のマークとマークを何も付けない場合も含む。
【請求項２】
「次行対応マーク」は、読者が視覚に瞬間的に認識できれば、大きさ・形状・色・模様は任意である。
【請求項３】
「次行対応マーク」は、最近のコンピュータの技術進歩によるワードプロセッサーのプログラミング上で自動的に付与する。
【発明の詳細な説明】
【０００１】
本発明は紙せんあるいは電子文章において表示された文章のある行末と次行頭の両側に同一の読者の視覚に訴えるマークを付与して、それを二行もしくは三行の行単位で繰り返し、文章の両側をマークで飾るものである。そのことにより、ある行末から次行頭に視線を移した時に、無意識にマークを認識して間違い無く次行頭に辿り着ける方法である。
ただし、文章が行の途中で終わる場合は行末マーク欄と距離があり、読者が視覚で瞬間的に認識しにくくなるために、句読点を含む文章の次の一文字欄に「次行対応マーク」を付与する。
【発明の属する技術分野】
【０００２】
本発明は平面構造物を成す、紙せんあるいは電子文章において表示された文章に関するものであり、縦書きあるいは横書きでもよい。
【従来の技術】
【０００３】
（１）一行ごとに定規を行に当てて一行づつ移動させて読むが、手軽で何処ででもというわけにはいかない。
（２）読みやすい本は段落を多くしているが、「図１」のように、反面余白が多い。
（３）雑誌では、「図２」のように、一行の文字数を少なくして、その代わり段を設けているが段と段の間に空白部分が多かったり、読者の視線の移動回数が多くなる
（４）また、雑誌や新聞ではページが飛ぶときは「○○ページに続く」とか、何段もあるときは矢印（八方向）で大まかな文章が続く位置方向を示したり、「図３」のように、なんの指示も無い場合がある。
以上の数々の方法が取られていたが、根本的に文章の一行一行読み進む段階での行読み取り間違いを防止するものは無かった。
【発明が解決しようとする課題】
【０００４】
一行の長さが長くなると、次の行頭を読みがながら探すと、本文章の抜粋の「図４」のように、しばしば次の行が何処だったかがわからなくり、読者をイライラさせる。また新聞では「図３」のように、行が何段にもわたってあり記事の内容が数段に渡って続くとき、ある段から何処に続くか判りにくい場合がある。
【課題を解決するための手段】
【０００５】
文章の全行末の後と、全行頭の前に「次行対応マーク」を各一字分確保して、ある行末と次行頭の二行に渡る同一の対応マークを付与して、そのマークを読者の視覚に瞬間的に認識させ、無意識の内に次行頭に導いてやる。
マークの繰り返し単位行数は、そのために二行もしくは三行が実用的である。それ以上増やすと読者の方がかえって混乱する。
【発明の実施の形態】
【０００６】
本発明は一ページが一段から成る表示された文章はもとより、雑誌やもっと大きい新聞の様に数段で分けられた一ページでも文章が何処に続くかを、読者の視覚で示すことができる。後者の場合はその手段として、「図５」のように、「次行対応マーク」の形態を多少変更する事で文章の両側が飾られており、同じマークの場所に視線を移動すれば良い。
以下、単純な例として、一行が長く、一ページに段が無く、繰り返し単位行列が二行の場合の「図６」で示して説明する。
まず、文章の行の前後に、各一文字分の行頭対応マーク欄３と行末対応マーク欄４を作っておく。
実際の文章は、文章を書く形式として、下記（１）〜（３）の項目が習慣化されておりそれらを織りこんでいる。
（１）文章の途中で故意的に空白の行を入れる。その最大連続空白行数をＮと
しておく。このＮに関しては後の「図７」に出てくる。
（２）文章は初めに行の途中からタイトル名や作者名などが記載される。
（３）段落が発生すると、次行は行の先頭一文字を空欄にして二文字目から書
く。
まず、一行目の書き出しは段落を示す一文字を空けるから一行目の行頭対応マーク欄３にＡマーク（○印）を付与する。一行末まで文字が詰まっていたら一行目の行末対応マーク欄４にＢマーク（●印）７を付与する。二行目の行頭対応マークは一行目の行末対応マークと同様に、Ｂマーク（●印）６を付与する。読者が文章を読んでいる場合、無意識に且つ瞬間的にマークを記憶して一行から二行に視線を間違い無く移動させることができるわけである。二行末から三行頭に移動するときは、「次行対応マーク」が○印になる。この繰り返しで、気持ち良く文章を読むことができる。
但し、文章が行の途中で終わる場合は、読者の視線が行末対応マーク欄４と距離があるので瞬間的にマークの種類を識別できにくいので、句読点を含む最後の文字の後に行末マークを付与する。
また電子文章において、自動的に付与する「次行対応マーク」のプログラムチャートは「図７」に示す。
【実施例】
【０００７】
従来の文章例、「図４」に対して、本発明による行繰り返し単位が二行と三行の場合を、各々、「図９」・「図１０」に示す。
また、本発明による行繰り返し単位が二行と三行の場合の「次行対応マーク」の例を「図８」に示す。
【発明の効果】
【０００８】
（１）一行の文章が長い場合、何も道具を使わずに読者の視覚で無意識に次行頭を見つけられる。
（２）一行の文字数を短くした雑誌や新聞では、段の間の空間を結果的に少なくできる。また、一段の行数を奇数にすると上段の行末マークとその下段の行頭マークを兼用させる事も可能である。
（３）視線の移動回数が少なくすみ、読者の目の疲れが少なくなる。
（４）従来の方法は、読み易くするために一ページに含まれる文字数が少なくする方法だった。対して本発明は、読み易くて多くの文字を一ページに詰め込む事が可能である。加えて、文章の飾りを兼ねた読者に優しく、且つ、省資源に貢献するものである。
（５）また、最近は、電子文章において、モバイル化が進み表示画面が小さくなってきている。そうすると、文字が小さいために行の読み誤りが発生し易くなる。その対策として、ストローク機能を備えるようになってきているが、本発明は、文字の小ささを我慢すれば一ページ全体を表示でき、ストロークによる表示位置の移動と視線の移動の煩わしさを、読者の視覚で無意識に次行頭を見つけることで解決できる。
以上の様に、ワードプロセッサーの進歩により、電子文書化の増加傾向が著しい。従来の印刷方法では「次行対応マーク」は、先に述べた長所があるが、更に、「次行対応マーク」はいろんなマーク付与を、プログラミングで簡単に自動的に付与することが可能となる。
【図面の簡単な説明】
【図１】従来法の段落を多くしているが、余白が多い文章表示の縦書き形態。
【図２】従来法の一行の文字を少なくして多段にした文章表示の縦書き形態。
【図３】従来法における新聞で、多段にわたって且つ部分的に跳んでいる文章表示の縦書き形態。
【図４】従来法の一行が長く読みづらい文章表示の本文横書き抜粋例
【図５】従来法における新聞で、多段にわたって且つ部分的に跳んでいる文章表示に、本発明を適用した文章表示の縦書き形態。（「図３」の従来法との比較）
【図６】本発明による一ページの平面構造と各部の名称
【図７】本発明の次行対応マークをプログラムで自動付与するフローチャート
【図８】本発明に用いる行対応マークの例
【図９】従来法の一行が長く読みづらい文章表示の本文横書き抜粋例に本発明を適用した二行繰り返し単位である場合（「図４」の従来法との比較）
【図１０】従来法の一行が長く読みづらい文章表示の本文横書き抜粋例に本発明を適用した三行繰り返し単位である場合（「図４」の従来法との比較）
【符号の説明】
１  紙せんあるいは電子文章の一ページ
２  文章欄
３  行頭対応マーク欄
４  行末対応マーク欄
５  タイトル・作者などの文字列
６  一行目の行末対応マーク
７  二行目の行頭対応マーク
８  段落始まりの一字空白
９  行頭
１０行末
１１句読点を含む一文字
１２空白行
【図１】
2004295856.tif 000003
【図２】
2004295856.tif 000004
【図３】
2004295856.tif 000005
【図４】
2004295856.tif 000006
【図５】
2004295856.tif 000007
【図６】
2004295856.tif 000008
【図７】
2004295856.tif 000009
【図８】
2004295856.tif 000010
【図９】
2004295856.tif 000011
【図１０】
2004295856.tif 000012